Podtech/llm-jp-corpus-v4-ja_patent huggingface dataset:
(57)【要約】      （修正有）【課題】使用しないときには、嵩を小さくでき、使用時には大きな画面となる巻物形拡張ディスプレイ付き情報端末を提供する。【解決手段】柔軟性を有するディスプレイを芯体に巻きつけた状態で設置し、芯体に情報端末機器の本体機能を有する。情報端末機器には、カメラ機能、マイク、スピーカー、入力キー等を設置することができる。ディスプレイを上下縦方向への拡張機能を持たせる為に、連結させて設置することもできる。【選択図】図３
0003185933.tif 000002
【実用新案登録請求の範囲】
【請求項１】
柔軟性を有するディスプレイを芯体に巻きつけた状態で設置し、該芯体に情報端末機器の本体機能を有することを特徴とする情報端末機器。
【考案の詳細な説明】
【技術分野】
【０００１】  本考案は、情報端末機器に使われるディスプレイとその情報端末機器に関するものである。
【背景技術】
【０００２】  従来用いられている情報端末機器に設置されているディスプレイは、平面型のものであり、コンパクトなものは画面が小さく見づらいといった欠点がある。画面を大きくすると、機器そのものも大型になり、携帯するには不便であるといった欠点があった。【０００３】  記録媒体としてサーマルヘッドでの記録が可能で、電界印加により消去可能な高分子複合膜（ＰＤＬＣ膜）を使用し、巻き取り状に形成した記録媒体の両端部を２本の円筒状枠内のリールに収容するとともに、一方の円筒状枠の記録媒体の出入口にサーマルヘッドによる書き込み部と電界印加装置による消去部を平行して双方またはいずれか一方を設けることにより携帯可能な巻取り型ディスプレイが開示されている（特許文献１）が、取扱いが煩雑で実用化されていない。
【先行技術文献】
【特許文献】
【０００４】
【特許文献１】特開平０９−２１６４６５号公報
【考案の概要】
【考案が解決しようとする課題】
【０００５】  解決しようとする問題点は、使用しないときには、嵩を小さくでき、使用時には大きな画面となる
ディスプレイの形状とそれを設置した情報端末機器を考案することである。
【課題を解決するための手段】
【０００６】  本考案は、情報端末機器に設置されるディスプレイの形状を巻き取り式にすることを最も主要な特徴とする。また、その巻取りの芯の部分に情報端末機器の機能部分を組み込むことを特徴とする。
【考案の効果】
【０００７】  本考案のディスプレイは、使用しないときには小さく、使用時には画面が大きくできることから、視覚障害者に限らず老眼の利用者がストレスなく情報端末画面をみることができるようになるという利点がある。
【図面の簡単な説明】
【０００８】
【図１】図１は巻き取り式ディスプレイを装着した情報端末機器を示した説明図である。（実施例１）
【図２】図２は情報端末本体の底部を下から見た状態を示した説明図である。
【図３】図３は巻き取り式ディスプレイを広げた状態を示した説明図である。
【図４】図４は連結した複数のディスプレイを拡げたときの説明図である。（実施例２）
【考案を実施するための形態】
【０００９】  情報端末機器の本体部分を巻物の芯の部分に設置し、その外側に巻き取り式のディスプレイを配し、必要に応じて、巻き物を開くようにディスプレイを巻き戻して使用できるようにする。情報端末機器には、従来から設置されているカメラ機能、マイク、スピーカー、入力キー等を設置することができる。
ディスプレイを上下縦方向への拡張機能を持たせる為に、ディスプレイを縦方向に連結させて設置することもできる。
【実施例１】
【００１０】  図１は、本考案機器の１実施例の図であって、１はディスプレイ、４はスピーカー、５は決定入力ボタン、９はマイク、１１はカメラ機能である。
ディスプレイをスクロールすることにより表示を移動することが可能である。片手で持ち、かつ操作できるため、鞄等で片手がふさがっていても電子書籍等を簡単に読むことが可能となる。【００１１】  図２は図１の機器の底部７を下から見たときの状態であり、図３には機器とディスプレイを広げた使用状態をしめした。
【実施例２】
【００１２】  さらに、図４には、複数のディスプレイを１枚の裏打ち繊維に複数枚並べることにより、簡単に折り曲げられることを利用して、上下縦方向へ拡大できる機能を示した。
書籍や文書を撮影したものを拡げたディスプレイで大きく表示することにより、視力の低下した利用者でも読書等が容易になる。
【産業上の利用可能性】
【００１３】  携帯電話、情報端末機器として利用できる。
【符号の説明】
【００１４】１    巻き取り式ディスプレイ
２    ディスプレイ引き出し口
３    ＵＳＢ等端子
４    スピーカー
５    入力決定ボタン
６    イヤホン差し込み口
７    本体底部
８    ＳＤカード等差し込み口
９    マイク
１０  ＡＣアダプター端子
１１  カメラレンズ
１２  ディスプレイの裏打ち繊維
【図１】
0003185933.tif 000003
【図２】
0003185933.tif 000004
【図３】
0003185933.tif 000005
【図４】
0003185933.tif 000006
(57)【要約】      （修正有）【課題】従来のメタルジグでは主に縦の動きしか出来なかったため、魚が好む横の動きを出せるメタルジグを提供する。【解決手段】背面部に比重の軽い素材Ａを設けることで、底面部のキールＢの重心を安定させ、メタルジグの海中での上下の姿勢を保たせる。この状態において、釣竿をゆっくり動かしながらリールでゆっくりと巻き上げることで、底面部のキールで独特な横揺れが起きる。【選択図】図１
0003185941.tif 000002
【実用新案登録請求の範囲】
【請求項１】
主材料よりも比重の軽い素材を背面部に設けることで、底面部のキールの重心を安定させ、海中での上下の姿勢を保ち、釣竿をゆっくりと動かしながらリールでゆっくりと巻き上げることで、底面部のキールが独特な横揺れを起こすことを特徴とするメタルジグ。
【考案の詳細な説明】
【技術分野】
【０００１】  本考案は、メタルジグと称される金属で出来た釣り用ルアーに関するものである。
【背景技術】
【０００２】  従来のメタルジグは、釣竿をしゃくって動かすジギングと呼ばれる釣り方で使用されている。このため、メタルジグが水中を泳ぐ際の動きは、釣竿のしゃくり方に連動した縦の動きとなり、このような釣り方とメタルジグの縦の動きだけでは、一部の魚種が釣れない事例があった。【０００３】  これらの釣りづらい魚を釣るために、様々な形状のメタルジグがあるが、使用中に回転するなどイレギュラーな動きが多く、安定した横の動きが出せるメタルジグは無かった。
【考案の概要】
【考案が解決しようとする課題】
【０００４】  本考案は、従来の技術の有するこのような問題点に鑑みてなされたものであり、その目的とするところは、メタルジグの縦の動きだけでは釣れなかった魚を釣るために、回転などを起こさず、常に安定した姿勢で横方向の独特の動き方をするメタルジグを提供しようとするものである。
【課題を解決するための手段】
【０００５】  上記目的を達成するために、本考案におけるメタルジグは、正面から見ると逆三角形、背面から見るとしずく型の形状とした。背面は平面に近い凹状の曲面にし、底面は横の動きを出せるようキールを設けた。さらに、背面にはメタルジグの主材である鉛、タングステンなどよりも比重の軽い素材であるアルミ合金板、プラスチック板、木材板、紙などを貼り付けることで、底面のキール側の重心が安定し、リールで巻き上げる際に、回転したりせずに背面と底面の姿勢を保つようにした。
【考案の効果】
【０００６】  メタルジグを海底に着底させ、釣竿をゆっくり動かしながらリールでゆっくりと巻き上げてくる時、背面に比重の軽い素材Ａがあることで底面のキールＢの重心がより下方向に向き、上下の姿勢を保つことが出来る。この状態において、底面のキールＢが水の抵抗で独特な左右の横揺れをさせる役割を果たす。【０００７】  本考案のメタルジグは、魚が好む独特な横揺れの動きが出来るため、従来のジギングでは釣りづらいとされたマダイ類に大変効果があった。このメタルジグにより、これまでは釣れなかった魚種も釣れる可能性が出来た。
【図面の簡単な説明】
【図１】本考案のメタルジグの左側面図である。
【図２】本考案のメタルジグの背面図である。
【図３】本考案のメタルジグの底面図である。
【図４】本考案のメタルジグの正面図である。
【図５】本考案のメタルジグの実施例を示す図である。
【考案を実施するための形態】
【０００８】  本考案の実施例を図で説明する。図１は本考案を実施したメタルジグの左側面図である。メタルジグは集魚効果のあるホログラムを両面に貼り付け、塗装を施したものである。背面は平面に近い凹状の曲面にし、後部に向かってなだらかに凹ませた。この背面に比重の軽い素材Ａを貼り付けた。（比重の軽い素材Ａは斜線で記載した部分である。）
【０００９】  Ｃ１のアイが前側でラインを結ぶ側、Ｃ２のアイが後ろ側で針を付ける側となり、図５での実施例のようになる。底面のキールＢは、このＣ１のアイからＣ２のアイとの間において、キールＢが常に下を向くように重心を置いた。この重心は、海中で背面の比重の軽い素材によって常に下向きとなり、上下の姿勢を安定させる。
【００１０】  図２は背面図である。後方重心のしずく型にすることで、メタルジグを海底に沈める際にすばやく沈下し、巻き上げる際に水流を後方へ受け流しやすくした。
【００１１】  比重の軽い素材Ａは、メタルジグ背面の形状に合わせ、端の曲面を避けて貼り付けた。メタルジグの重量や材質によっては、底面の重心を保つために、比重の軽い素材Ａの大きさや質量、素材を変えることが望ましい。また、比重の軽い素材Ａには集魚効果となるものが付随しないため、比重の軽い素材Ａの上に集魚効果のあるものを同じ大きさで貼り付け、クリアー塗料で保護をした。
【００１２】  図３で底面のキールＢを説明する。キールＢは、水流を後方へ受け流し、左右の揺れを大きくさせるように底面の中心にキールを設けた。また、キールＢの後方を平面にすることで、乱流を発生させて横揺れしやすい形状にした。
【００１３】  図４はＣ１側からみた正面図である。背面は薄い平面とし、比重の軽い素材Ａを貼り付け、底面には重心が下になるようにキールＢを設けたものである。
【００１４】  図５は実施例である。使用状態を明確にするため記載した。Ｃ１のアイにはＥのスプリットリングを付け、横揺れをＤのラインが干渉しないようにすることが望ましい。また、魚がかかる確率を上げるために、Ｃ１のアイへもＦの針を付けると釣果が良くなる。針の数は状況により１本もしくは２本使用する。
【符号の簡単な説明】
［Ａ］  比重の軽い素材
［Ｂ］  キール
［Ｃ１］前側のアイ
［Ｃ２］後側のアイ
［Ｄ］  ライン
［Ｅ］  スプリットリング
［Ｆ］  針
【図１】
0003185941.tif 000003
【図２】
0003185941.tif 000004
【図３】
0003185941.tif 000005
【図４】
0003185941.tif 000006
【図５】
0003185941.tif 000007
(57)【要約】      （修正有）【課題】メルトダウンによる破壊断線を消費電力メータで可視化を計った構成の原子力発電所を提供する。【解決手段】電力入力による消費電力計３、３‘の回路構成に感熱センサーヒューズ１、１‘を有し、炉心の燃料棒２の１、１‘への接触又はメルトダウンによる破壊断線を消費電力計３、３‘と感熱センサーの一部のヒューズの断線で決めた位置による可視化を計った事により燃料棒の上方のみならず下方から噴水冷却水まで追加してメルトダウン防止のＳＷとした原子力発電所。【選択図】図１
0003185907.tif 000002
【実用新案登録請求の範囲】
【請求項１】
電力を入力した回路構成にヒューズを有し、炉心の燃料棒の位置毎の可視化として、接触又はメルトダウンによるヒューズ断線の有無検出の消費電力計を１つ以上有した原子力発電所。
【請求項２】
碍子又はセラミックチューブで被覆されたＮｉ−Ｃｒ線による感熱センサーヒューズを有した事を特徴とする請求項１記載の原子力発電所。
【考案の詳細な説明】
【技術分野】
【０００１】
本考案は、従来の原子力発電所に於ける原子炉内の事故対策に関する。
【０００２】
万一の事故にも備える安全防護施設（放射能の多重防壁第１の防壁；ペレット第２の防壁；被覆管第３の防壁；原子炉容器第４の防壁；格納容器第５の防壁；原子炉建屋）を有した原子力発電所があります。
【考案の概要】
【考案が解決しようとする課題】
【０００３】
しかしながら、東北大震災原発事故により原子力全廃要求に対して、炉心の燃料棒による原子炉容器のメルトダウンに問題有りとする欠点に注目した。
【０００４】
本考案は、上記実情を鑑みてなされたものであり、燃料棒によるメルトダウンの可視化対策がなされている。
【課題を解決するための手段】
【０００５】
上記目的を達成するため考案は、原子力発電所の次の構成を含むことを特徴としている。
電力入力による抵抗検出計の回路構成に感熱センサー（ヒューズとしてのＮｉ−Ｃｒ線を碍子又はセラミックチューブで被覆したＵ字形状等）を有し、炉心の燃料棒の接触によりセンサーの温度を昇げ又はメルトダウンによる破壊断線を消費電力メータで可視化を計った原子力発電所を構成するものである。
【考案の効果】
【０００６】
本考案により、その構成に全廃要求対象の原子力安全上メルトダウンの欠点を克服する冷却水制御のための燃料棒の炉心と格納容器に於けるメルトダウン対策の可視化を果す原子力発電所ができる。
【図面の簡単な説明】
【０００７】
【図１】本考案の原子力発電所である。
【図２】感熱センサー（Ｎｉ−Ｃｒ線をヒューズとして碍子又はセラミックチューブで被覆）
【考案を実施するための形態】
【０００８】
本考案の実施の形態の一例について図面を参照しながら説明する。
メルトダウン可視化の原子力発電所は図１に示すように１、１‘感熱センサー（碍子又はセラミックチューブ被覆のＮｉ−Ｃｒ線等）２、炉心（燃料棒）３、３‘消費電力計（１、１‘と回路構成する。）４、４‘低圧注水系のポンプ（冷却水用）で構成するものである。
【符号の説明】
【０００９】
１、１‘    感熱センサー（抵抗値が１、１で異なる。）碍子で被覆されたＮｉ−Ｃｒ線のＵ字形等
２、        炉心（燃料棒）
３、３‘    消費電力計（１、１‘と回路構成）
４、４‘    低圧注水系のポンプ（冷却水用）
【図１】
0003185907.tif 000003
【図２】
0003185907.tif 000004
【手続補正書】
【提出日】平成25年5月10日(2013.5.10)
【手続補正１】
【補正対象書類名】実用新案登録請求の範囲
【補正対象項目名】全文
【補正方法】変更
【補正の内容】
【実用新案登録請求の範囲】
【請求項１】
炉心の燃料棒の落下方向とその位置検出のために垂直に交叉するよう原子炉内に設けられた碍子又はセラミックチューブで被覆されたＮｉ−Ｃｒ線による半ドーナツ形状又は棒状の感熱センサーを１つ以上有した原子力発電所。
【請求項２】
燃料棒の接触又はメルトダウンによるヒューズ断線破壊を積算電力計と称する消費電力計で可視化できる電力を入力した回路構成にヒューズを有した事を特徴とする請求項１記載の原子力発電所。
【手続補正書】
【提出日】平成25年7月4日(2013.7.4)
【手続補正１】
【補正対象書類名】実用新案登録請求の範囲
【補正対象項目名】全文
【補正方法】変更
【補正の内容】
【実用新案登録請求の範囲】
【請求項１】
炉心の燃料棒の落下方向とその位置検出のために垂直に交叉するよう原子炉内に設けられた碍子又はセラミックチューブで被覆されたＮｉ−Ｃｒ線による半ドーナツ形状又は棒状の感熱センサーとしての電力線の一部のヒューズの導電又は断線による非導電を判定する消費電力計を１つ以上有した原子力発電所。
【請求項２】
燃料棒の接触又はメルトダウンによるヒューズ断線破壊を積算電力計と称する導通非導通を判定できる消費電力計の回転運動で可視化できる電力を入力した回路構成にヒューズを有した事を特徴とする請求項１記載の原子力発電所。
(57)【要約】      （修正有）【課題】何度でも使用でき、環境に配慮したスリーブを提供する。【解決手段】テイクアウト用ドリンクカップに用いられるスリーブであって、スリーブの素材がフリースであることを特徴とする。【選択図】図１
0003185903.tif 000002
【実用新案登録請求の範囲】
【請求項１】
フリースリーブ
【考案の詳細な説明】
【技術分野】
【０００１】本考案はフリース素材で作られているテイクアウト用ドリンクカップに熱から守るものとして装着するスリーブである。
【背景技術】
【０００２】従来良く使用されているスリーブは紙で出来ている。
【考案の概要】
【考案が解決しようとする課題】
【０００３】従来の紙で出来たスリーブは資源の無駄に繋がる。
【課題を解決するための手段】
【０００４】フリースで作ることにより何度でも使用できる。
【考案の効果】
【０００５】フリースは伸縮性がありサイズを選ばないため一つ持ち歩いていればどんな場面でも使用可能。
フリースリーブはコンパクトになり持ち運びしやすい。
【図面の簡単な説明】
【０００６】
【図１】正面図
【考案を実施するための形態】
【０００７】テイクアウト用ドリンクカップに着けて使用。
【符号の説明】
【０００８】※が考案するフリースリーブである。
【図１】
0003185903.tif 000003
【手続補正書】
【提出日】平成25年4月22日(2013.4.22)
【手続補正１】
【補正対象書類名】実用新案登録請求の範囲
【補正対象項目名】全文
【補正方法】変更
【補正の内容】
【実用新案登録請求の範囲】
【請求項１】
テイクアウト用ドリンクカップに用いられるスリーブであって、前記スリーブの素材がフリースであることを特徴とするスリーブ。
(57)【要約】      （修正有）【課題】より一層の個性、表現力、感動を与えることを可能にした音楽付き写真集を提供する。【解決手段】オリジナルな一生涯を表現、記録した音楽、映像を収録したＤＶＤ２とそのＤＶＤ収納フォルダーと、厚紙製の写真集、自叙伝、家族へのメッセージ及び遺言書保管用フォルダーから構成される冊子型の写真集であって、一方の表紙１の裏面にＤＶＤ収納フォルダーを備え、他方の表紙の裏面７に遺言書保管用フォルダー６を備え、表紙間に、写真集３、自叙伝４及び家族へのメッセージ５を配置する。【選択図】図１
0003185909.tif 000002
【実用新案登録請求の範囲】
【請求項１】
作成者その人に関わる生き様を表現する思い出の絵や写真、メッセージから一定の規則性に基づいて作曲したオリジナルな音楽、動画を記録したＤＶＤと、その人の自叙伝や遺族に残すメッセージなどを印刷した冊子などを体系的に盛り込んでパッケージ化した、音楽付き、自叙伝付きの写真集。
【考案の詳細な説明】
【技術分野】
【０００１】  この考案は、文字、写真だけによる自伝、遺書、エンディングノートなどにオリジナルな音楽を付加することにより、より一層の個性、表現力、感動を与えることを可能にした音楽付き写真集に関するものである。
【背景技術】
【０００２】  この考案は、自伝、遺書を書く人の写真、遺書、メッセージから、一定の規則に基づいて、その人オリジナルな音楽を作曲することにより、著作権に触れない音楽付きの、かつ自叙伝付きの写真集の作成を可能にする。
【考案の概要】
【考案が解決しようとする課題】
【０００３】  従来タイプの自伝、遺書、エンディングノートの類は、音楽的な要素を持たず、その意味において表現力、オリジナリティに不満があり、その理由として既存の音楽を利用することの著作権の問題があったが、その解消が課題であった。
【課題を解決するための手段】
【０００４】  絵や写真、メッセージから、一定の規則性に基づいて、オリジナルなメロディを作曲する技法を確立することにより、音楽付きの、自叙伝または写真集の制作を可能にした。
【考案の効果】
【０００５】  オリジナルな音楽を作曲し、その人オリジナルな自伝、遺書に添付することにより、著作権に触れることなく、独自のメロディの出る自伝、または遺書として制作し、体系的な写真集として後世に残すことを可能とする、画期的な考案である。
【図面の簡単な説明】
【０００６】
【図１】本考案の概略図面である。
【考案を実施するための形態】
【０００７】  制作を希望する人から、その人が希望する写真、絵、自伝、遺族へのメッセージなどを預かり、これらの情報からオリジナルな音楽を作曲し、ＤＶＤに保存し、お預かりした写真、自叙伝とともに編さんし、一冊の写真集として整え、利用していただく。
【実施例】
【０００８】  独自の手法により作曲したメロディー付き動画入りＤＶＤと、生涯の思い出の写真、自叙伝、遺書を、オリジナルな順序により体系的に編さんし、パッケージ化して、音楽付き、自叙伝付き写真集として制作し、保存していただく。あわせてＷＥＢ上からの編集及び閲覧も可能なものとする。
【図１】
0003185909.tif 000003
【手続補正書】
【提出日】平成25年6月26日(2013.6.26)
【手続補正１】
【補正対象書類名】実用新案登録請求の範囲
【補正対象項目名】全文
【補正方法】変更
【補正の内容】
【実用新案登録請求の範囲】
【請求項１】
オリジナルな一生涯を表現、記録した音楽、映像を収録したＤＶＤとそのＤＶＤ収納フォルダーと、これに加えて、以下いずれも厚紙製の写真集、自叙伝、家族へのメッセージ及び遺言書保管用フォルダーから構成される冊子型の写真集であって、前記写真集の一方の表紙の裏面に前記ＤＶＤ収納フォルダーを備え、前記写真集の他方の表紙の裏面に前記遺言書保管用フォルダーを備え、前記一方及び他方の表紙の間に、前記写真集、自叙伝及び家族へのメッセージを配置した冊子型の写真集
(57)【要約】      （修正有）【課題】噛む回数が少なく、過食になってしまう不都合を防止できる、箸の連続使用を通知する機能を備えた箸置きを提供する。【解決手段】箸置きに箸の上げ下げを検出するセンサー１を設置し、箸の連続使用時間を計測する。設定した時間を経過すると通知音で知らせる事で一旦箸を置くように促す。【選択図】図１
0003185905.tif 000002
【実用新案登録請求の範囲】
【請求項１】
箸の連続使用を防止する通知機能を備えた箸置き
【考案の詳細な説明】
【技術分野】
【０００１】    本考案は、食事をする際に使用する、通知機能付き箸置きに関する。
【背景技術】
【０００２】    従来は、食べ物を口に運ぶ間隔を気にすることなく、食べ物を口に運ぶ事があった。
【考案の概要】
【考案が解決しようとする課題】
【０００３】    しかし、これでは食べ物を充分に噛まずに飲み込んでしまうことも多く、ダイエットの妨げになったり健康に害を及ぼす可能性がある。食べ物を多く噛むように意識しても、忘れてしまう事も多い。
【課題を解決するための手段】
【０００４】    そこで、箸置き本体に、箸の連続使用時間を防止する機能を備えた箸置きを考案した。この箸置きにより箸を連続して使用することを防止する事ができ、噛む回数を増やし、食事時間を長くする事ができる。
【考案の効果】
【０００５】    箸を置く部分にセンサーがあり、箸を持ち上げると自動的にカウントが始まる。設定時間で通知音や光が出る事で使用者に箸の連続使用の中止を促す。警告音により使用者は箸を置き、噛む事に専念する。箸が置かれれば使用時間はリセットされる。箸を再び持ち上げたときは時間は最初からカウントが開始される。
【図面の簡単な説明】
【０００６】
【図１】本考案の実施例を示す斜視図である。
【考案を実施するための形態】
【０００７】    図１の１のように箸の上げ下げを自動で検出するセンサーを備え、手間がかからず箸の使用のペースが分かるようになっている。設定時間からのカウントダウンの秒数を表示する液晶２や、設定時間の到達を知らせる点灯機能３、スピーカー４などを備える。箸の連続使用の秒数等を設定できるスイッチを備え５、個人による食べる速度の違いに対応する。電源のスイッチを備え６、動作のための電池を本体に収納する７。
【図１】
0003185905.tif 000003
【手続補正書】
【提出日】平成25年7月10日(2013.7.10)
【手続補正１】
【補正対象書類名】実用新案登録請求の範囲
【補正対象項目名】請求項１
【補正方法】変更
【補正の内容】
【請求項１】
箸の上げ下げを検出するセンサーと、使用時間を計測するタイマーにより、箸の連続使用時間をカウントし、設定した時間の超過を使用者に通知し、食べる速度を抑制する機能を備えた箸置き。
(57)【要約】      （修正有）【課題】地震、津波により被災しない従来の船体ドックに進水するため浮揚させた船体に模して、放射能の多重防壁を有した原子炉建屋を造船所ドックの海水に浮揚させる造船型原子力発電所を提供する。【解決手段】造船所ドック６、の海水に水中浮揚又は大型クレーン７、で宙吊り状態にする原子炉（建屋）船又は艦５、に冷却水の永遠性が保てる格納容器４、原子炉容器３、被覆管２、ペレット１、を構成した。【選択図】図１
0003185904.tif 000002
【実用新案登録請求の範囲】
【請求項１】
造船所ドックの海水に水中浮揚させて運用する船体又は艦体とした造船型原子力発電所。
【請求項２】
請求項１記載の水中浮揚と同じ効果の大型クレーンを運用するために具備した事を特徴とする造船型原子力発電所。
【考案の詳細な説明】
【技術分野】
【０００１】
本考案は、従来の原子力発電所（軽水炉）に於ける地震津波対策の環境構成に関する。
【背景技術】
【０００２】
万一の事故にも備える安全防護施設（放射能の多重防壁第１の防壁；ペレット第２の防壁；被覆管第３の防壁；原子炉容器第４の防壁；格納容器第５の防壁；原子炉建屋）を有した原子力発電所があります。
【考案の開示】
【考案が解決しようとする課題】
【０００３】
しかしながら、東北大震災原発事故により原子力発電所全廃要求に対して、地震、津波による被災が大きい原子炉建屋の構造と地盤に於ける活断層調査の精度に問題有りとする欠点に注目した。
【０００４】
本考案は、上記実情に鑑みてなされたものであり、地震、津波の被災がない原子炉建屋と地盤の変革対策がなされている。
【課題を解決するための手段】
【０００５】
上記目的を達成するため考案は、原子力発電所の地震、津波対策として次の構成を含むことを特徴としている。
地震、津波により被災しない従来の船体ドックに進水するため浮揚させた船体に模して、放射能の多重防壁を有した原子炉建屋を造船所ドックの海水に浮揚させる造船型原子力発電所を構成するものである。
【考案の効果】
【０００６】
本考案により、その構成に全廃要求対象の原子力発電所の安全上の欠点を克服する海水に浮揚できる造船型原子力発電所ができる。
即ち、造船型原子力発電所の１、停止２、冷却３、閉じ込めの中で一番重要な２、冷却について図１の３、第３の防壁；原子炉容器では燃料棒のメルトダウンが起きないように、燃料棒の水中浮揚による冷却の永遠性を保つ噴水設計施工運用がなされています。
次に４、第４の防壁；格納容器では、建造船時から大型クレーンによる吊り下げ構造として、つり鐘構造による地震対策、更に、この鋼鉄製の気密容器を冷却水が無限大に得られる着水池（海洋海水）に大型クレーンにより微細移動の水流ポンプスイッチを入れる働きで、水中浮揚冷却を永遠性をもって実現します。
次に５、第５の防壁；原子炉建屋では地震、津波による被害を受けない準備として、この建造船が海洋潜水艦とした構造でありますと、潜水艦のハッチを開けて、又は水素爆発等で同じ状態になりますと、この艦は海洋水で満たされ、水中浮揚冷却を永遠性をもって実現します。最後に３、閉じ込めは、建造船全部又は一部を生コンクリート注入により大型クレーンで運べる固体化が可能であります。１、の停止は、震源地に設けたサイズモ系発電センサーの地震、津波対策ワーク信号により可能であります。
【図面の簡単な説明】
【０００７】
【図１】本考案の造船型原子力発電所である。
【考案を実施するための形態】
【０００８】
本考案の実施の形態の一例について、図面を参照しながら説明する。
造船型原子力発電所は、図１に示すように１、第１の防壁；ペレット２、第２の防壁；被覆管３、第３の防壁；原子炉容器４、第４の防壁；格納容器５、第５の防壁；原子炉建屋（船又は艦）６、造船ドック７、大型クレーンで構成するものである。
【符号の説明】
【０００９】
１．    第１の防壁ペレット
２．    第２の防壁；被覆管
３．    第３の防壁；原子炉容器
４．    第４の防壁；格納容器
５．    第５の防壁；原子炉建屋（船又は艦）
６．    造船所ドック
７．    大型クレーン
【図１】
0003185904.tif 000003
【手続補正書】
【提出日】平成25年3月18日(2013.3.18)
【手続補正１】
【補正対象書類名】実用新案登録請求の範囲
【補正対象項目名】全文
【補正方法】変更
【補正の内容】
【実用新案登録請求の範囲】
【請求項１】
造船所ドックの海水に水中浮揚させて運用する船体又は鑑体とした造船型原子力発電所。
【請求項２】
請求項１記載の船体又は鑑体を大型クレーンでつるす事で水中浮揚するために大型クレーンを具備した事を特徴とする造船型原子力発電所。
【手続補正書】
【提出日】平成25年5月22日(2013.5.22)
【手続補正１】
【補正対象書類名】実用新案登録請求の範囲
【補正対象項目名】全文
【補正方法】変更
【補正の内容】
【実用新案登録請求の範囲】
【請求項１】
造船所ドックの海水に水中浮揚させて運用する船体又は艦体とした造船型原子力発電所。
【請求項２】
請求項１記載の造船型原子力発電所を大型クレーンで水中浮揚させてなる水中浮揚造船
型原子発電所。
(57)【要約】      （修正有）【課題】寝たきりの人を一日数回、数時間でも気分転換をしながら治療することを目的とする敷き布団、ベッド上で使用する背当てを提供する。【解決手段】一対の主柱３と一対の支柱４と、一対の主柱間の上下に設けられた二枚の上半身受止板７と、上半身受止板７に設けられた二枚の枕伸縮調整板２とからなる背当てである。主柱３と支柱４とはそれぞれ一方の端部が外枠５の両端に可動可能に固定されると共に主柱３がそなえる支柱取り付けピン９と主柱３がそなえる複数の支柱角度調整ピン穴１２のいずれかと固定される。【選択図】図１
0003185913.tif 000002
【実用新案登録請求の範囲】
【請求項１】
背当てに、付き添いの人が病床人の上半身を起こして上半身受止板に寄りかけてあげる。深呼吸したりテレビを正面から見たり軽症の人は、自身でテレビ画面を切り替えたり  飲食をしたり気分転換しながら治療する。背当て使用後は折畳んで収納する事が出来る特徴を持った背当て。
【考案の詳細な説明】
【技術分野】
【０００１】本考案は、寝たきりの人の上半身の角度を徐徐に起こして、正座の姿勢近くまでにしてあげて、気分転換して貰うことである。
【背景技術】
【０００２】寝たきりの人は、テレビを見るにしても食事をとるにも自分で出来ず  付き添いの人に、世話をして貰わないと思う事が出来ない。
【考案の概要】
【考案が解決しようとする課題】
【０００３】寝たきりの状態では、自身で何一つする事が出来ず  付き添いの人の手を借りなければならず、辛い毎日を過ごすので、背当てに上半身を寄せて多少の時間でも気分転換しながら一日が送れるようにすることである。
【課題を解決するための手段】
【０００４】寝たきりで、毎日辛く  苦しい人を多少の間でも一息つけるようにして貰うために付き添いの人が、背当てに上半身を寄せて低い角度から徐徐に正座の姿勢近くまで起きて、テレビを見たり話しをしたり安らいだ気持になれるよう気分転換して貰い、病を治す意志を持ち辛い日々から問題を解決する。
【考案を実施するための形態】
【０００５】背当ての、左右の主柱に数センチの屈折を入れた上半身受止板２枚を上下に取り付け、その上部に枕伸縮調整板を２枚取り付け主柱を固定する。
支柱も上下２枚の板で止めて、主柱に支柱を支柱取り付けピンで取り付ける。
主柱と支柱は外枠に取り付け箇所にピンで取り付け、使用人の枕の位置は枕伸縮調整板のピン穴にピンで止めて固定し、上半身の姿勢も本人が楽な位置に支柱角度調整板のピン穴にピンで固定する。
【実施例】
【０００６】使用人が、図１の７上半身受止板に上半身を寄せ左右の横転を防止し、腰に負担がかからないように図２の４．支柱角度調整板で徐徐に角度を起こし楽な姿勢を保ち気分転換しながら治療することが出来る。
【考案の効果】
【０００７】上記の様に本考案は寝た切りの状態から付き添いの人により、上半身を起こして正面からテレビを見たり、顔を合わせて話をしたり、付き添いの人も御八つや食事もやりやすくなり、食べる人も飲みやすくなり、両者共に憂鬱な時から快方される。
【図面の簡単な説明】
【０００８】
【図１】本考案は使用人が上半身を上半身受止板に寄せる側面図である。
【図２】使用人が上半身をよせて任意の姿勢を保つ側面図である。
【図３】使用人の体重を使って背当ての移動を防止する側面図である。
【図４】使用人が使用した後折畳んで収納する側面図である。
【符号の説明】
【０００９】  １    枕
２    枕伸縮調整板
３    主柱
４    支柱
５    外枠
６    枕取付板
７    上半身受止板
８    主柱取付ピン
９    支柱取付ピン
１０  枕伸縮調整ピン
１１  背当移動調整材（布）
１２  支柱角度調整ピン穴
【図１】
0003185913.tif 000003
【図２】
0003185913.tif 000004
【図３】
0003185913.tif 000005
【図４】
0003185913.tif 000006
【手続補正書】
【提出日】平成25年6月28日(2013.6.28)
【手続補正１】
【補正対象書類名】実用新案登録請求の範囲
【補正対象項目名】全文
【補正方法】変更
【補正の内容】
【実用新案登録請求の範囲】
【請求項１】
一対の主柱と一対の支柱と前記一対の主柱間の上下に設けられた二枚の上半身受止板と前記上半身受止板に設けられた二枚の枕伸縮調整板とからなる背当てであって前記主柱と前記支柱とはそれぞれ一方の端部が外枠の両端に可動可能に固定されると共に前記主柱がそなえる支柱取り付けピンと前記主柱がそなえる複数の支柱角度調整ピン穴のいずれかと固定されることを特長とする背当て。
(57)【要約】      （修正有）【課題】ねじ込み式フランジをパイプレンチを使う時のように直接挟まず傷を付けない事、又ねじ込み式フランジの外形の大きさに関わらず、従来の一般工具であるラチェットハンドル、スパナ、モンキー、又は六角レンチを使い容易に締め付け、及び緩める作業を行う事ができる治具を提供する。【解決手段】ねじ込み式フランジの配管への締め付け、及び緩めを行う冶具Ｅであって、ねじ込み式フランジのピッチ、穴径、厚みに合わせて貫通する二本の丸型の軸Ｈを有した治具に、ラチェットハンドルＦ、スパナ、モンキー、又は六角レンチの嵌合部を有するアダプターＧを二本の丸型の軸の突出方向の反対側の面に設けたことを特徴とし、さらに二本の丸型の軸に段付き形状を設け、軸は治具に回転を加えると穴径に引っ掛りとなり固定される構造とする。【選択図】図２
0003185919.tif 000002
【実用新案登録請求の範囲】
【請求項１】
ねじ込み式フランジの配管への締め付け、及び緩めを行う冶具であって、ねじ込み式フランジのピッチ、穴径、厚みに合わせた引っ掛ける為の二本の丸型の軸を有し、治具に、ラチェットハンドル、スパナ、モンキー、又は六角レンチの嵌合部を有するアダプターを設けた治具。
【請求項２】
二本の丸型の軸に段付き形状を設け、前記軸は治具に回転を加えると穴径に引っ掛りとなり固定される請求項１に記載の治具。
【考案の詳細な説明】
【０００１】本考案は、ＪＩＳ規格で作られている配管作業に使用される、ねじ込み式フランジの締付け、及び緩めを行う治具に関する。
【背景技術】
【０００２】配管作業において、ねじ込み式フランジの締付け、及び緩める作業での工具は特にない。
外形の小さいものに関しては、パイプレンチで挟んで取付できるが、外形が大きくなると、ねじ込み式フランジ自身をバイスに挟んで固定し、雄ねじを切ったパイプの方を回して取付している。【０００３】ねじ込み式フランジとは、配管継手の一種である。
パイプとパイプの接続や配管に繋がる機器のノズルとの接続に使われる、つば状の配管継手の事である。
図１は、ねじ込み式フランジＩの形状を示す、円盤状の形をしており、中心のＤ部分には雌ねじが切ってあり、雄ねじを切った配管パイプをねじ込んで接続する。
ねじ込み式フランジＩの円周上にはボルト取付の為の穴が開いている。
【考案が解決しようとする課題】
【０００４】ねじ込み式フランジ取付の専用の工具はない。
外形の小さいものに関しては、パイプレンチで直接挟んで取付できるが、ねじ込み式フランジに傷がついてしまう。
【０００５】そこでこの考案の目的は、ねじ込み式フランジをパイプレンチを使う時のように直接挟まず傷を付けない事、又ねじ込み式フランジの外形の大きさに関わらず、従来の一般工具であるラチェットハンドル、スパナ、モンキー、又は六角レンチを使い容易に締め付け、及び緩める作業を行う事にある。
【課題を解決する為の手段】
【０００６】上記目的を達成する為、この考案の治具は、ねじ込み式フランジを締付工具で直接挟んで使わず、ねじ込み式フランジを傷つけず締め付け、及び緩める事を特徴としている。
この治具は二本の軸を有し、治具そのものにラチェットハンドル、スパナ、モンキー、六角レンチの嵌合部を設けたアダプターが有り、工具を差込む事により、締め付け、及び緩める作業を行う事が出来る特徴が有る。
二本の軸は、ねじ込み式フランジのボルト取付の為の穴の円周に合わせ、丸型の軸を二本出していて、丸型の軸は先端をボルト取付の為の穴径に入るように合わせている。
又ねじ込み式フランジの厚みに合わせて丸型の径を小さくし、段付き形状をしている。
段付きを作る事により、治具に回転を加えると引っ掛かりとなり固定される仕組みである。
又二本の軸は、丸型をしている為、引っ掛かりとなったとき、ねじ込み式フランジのボルト取付の為の穴に傷を付けることはない。
【図面の簡単な説明】
【０００７】
【図１】ねじ込み式フランジの図
【図２】ねじ込み式フランジに治具を引っ掛けた図
【図３】ねじ込み式フランジの治具を使用状態の図
【実施例】
【０００８】図２は、図１の示す、ねじ込み式フランジＩのピッチＡ、穴径Ｂ、厚みＣに合わせて作った治具Ｅを、ねじ込み式フランジに取付けた状態の図である。
治具Ｅには、ねじ込み式フランジＩのピッチＡに合わせて丸型の軸Ｈが二本出ている。
丸型の軸Ｈの軸径ｂ１は、ねじ込み式フランジＩの穴径Ｂに入るように合わせている。
丸型の軸Ｈは、段付ピンで、その頭部は、大きい径ｂ１より少し小さい。
段付ピンの小さい径ｂ２を有する小径部の高さはフランジの厚みＣより少し高い。
段付き形状なので、治具Ｅに回転を加えると穴径Ｂに引っ掛かりとなり固定される仕組みである。
又丸型の軸Ｈは、小径部が丸型をしている為、引っ掛かりとなったとき、ねじ込み式フランジＩに傷を付けることはない。【０００９】治具Ｅには、ラチェットハンドルＦの差込角ｆが入るアダプターＧがある。
又ラチェットハンドルのかわりに、六角レンチを用いてもよい。
更にスパナ、モンキーを使用する場合は、アダプターＧの外形を四角や六角の多角形にする。
アダプターＧは、溶接、又は鋳造時に成型される。【００１０】作業手順として図３のようにラチェットハンドルＦの差込角ｆを、アダプターＧに差し込む。
配管ｄのねじ部分にねじ込み式フランジＩを軽く手でねじ込み、治具Ｅの丸型の軸Ｈを穴径Ｂに差込み引っ掛ける。
ラチェットハンドルＦを回しねじ込み式フランジＩを締め付け、及び緩める事が出来る。
【符号の説明】
【００１１】Ａ  ねじ込み式フランジの円周
Ｂ  ねじ込み式フランジの穴径
Ｃ  ねじ込み式フランジの厚み
Ｄ  雌ねじ
Ｅ  治具
Ｆ  ラチェットハンドル
Ｇ  アダプター
ｂ１  丸型の軸の径
ｂ２  段付き形状の径
ｂ３  段付き形状の高さ
【図１】
0003185919.tif 000003
【図２】
0003185919.tif 000004
【図３】
0003185919.tif 000005
【手続補正書】
【提出日】平成25年6月24日(2013.6.24)
【手続補正１】
【補正対象書類名】実用新案登録請求の範囲
【補正対象項目名】全文
【補正方法】変更
【補正の内容】
【実用新案登録請求の範囲】
【請求項１】
ねじ込み式フランジの配管への締め付け、及び緩めを行う冶具であって、ねじ込み式フランジのピッチ、穴径、厚みに合わせて貫通する二本の丸型の軸を有した治具に、ラチェットハンドル、スパナ、モンキー、又は六角レンチの嵌合部を有するアダプターを二本の丸型の軸の突出方向の反対側の面に設けた治具。
【請求項２】
二本の丸型の軸に段付き形状を設け、前記軸は治具に回転を加えると穴径に引っ掛りとなり  固定される請求項１に記載の治具。
(57)【要約】      （修正有）【課題】既設の温水洗浄便座及び既設の水道分岐金具を改造することなく、かつトイレ室内の形状いかんに関わらず設置できる温水洗浄便座用カートリッジ交換式浄水器を提供する。【解決手段】既設の温水洗浄便座に使用されている給水ホースの差込プラグと同一形状のプラグ１及び既設の水道分岐金具の受けカプラーと同一形状の受けカプラー９、さらに長さの異なる延長ホース２，８を用いて、既設の温水洗浄便座から給水ホースを経て水道分岐金具へと接続されている経路の中間に浄水器を装着し、浄水器の本体筒５内に装着された交換可能な浄水化カートリッジ１０で浄水する。【選択図】図２
0003185912.tif 000002
【実用新案登録請求の範囲】
【請求項１】
既設の温水洗浄便座から給水ホースを経て水道分岐金具へと接続されている経路の中間に装着し、本体筒内に装着された交換可能な浄水カートリッジにて浄水し、既設の温水洗浄便座の改造及び既設の水道分岐金具の改造を必要とせず装着できる事を特徴とする温水洗浄便座用浄水器。
【請求項２】
本体は延長ホースの活用により据え置き型も可能とし、トイレ室内の形状いかんに関わらずに設置できることを可能とすることを特徴とする請求項１に記載する温水便座用浄水器
【請求項３】
本体内部のフィルターカートリッジを交換することにより、活性炭で構成されたフィルターを使用できることを特徴とする請求項１に記載する温水便座用浄水器
【請求項４】
本体内部のフィルターカートリッジを交換することにより、ビタミン剤の補充及び薬剤の補充を可能とすることを特徴とする請求項１に記載する温水便座用浄水器
【考案の詳細な説明】
【技術分野】
【０００１】  本考案は、健康・美容分野における温水洗浄便座に関する。
【背景技術】
【０００２】  近年、温水洗浄便座が多用されるようになってきているが、水道水の中には塩素や水が貯水槽から蛇口に至る長い水道管内に滞留する間に、消毒に用いた塩素が原因で、トリハロメタン等の塩素化合物が発生したり、貯水槽や水道管の汚れ・老朽化等が原因で、カビ臭またはカルキ臭が発生、場合によっては、細菌が発生したりするのが実情であるが、これらが含有されてる洗浄水で肛門や陰部を洗浄するものであった
【考案の概要】
【考案が解決しようとする課題】
【０００３】  従来の温水洗浄便座はその構造上、水道水を直接加熱し洗浄に使用するため、この水道水を濾過、浄水するためには温水洗浄便座ごと交換するか、水道水の経路上に浄水器を設置する必要があり、大規模な設備交換工事や水道工事を必要とする課題があった。【０００４】  そこで本考案は、このような課題を解決するためになされたもので、簡単で、手軽に安全な洗浄水を用いて肛門、陰部の洗浄ができる浄水器を提供することを目的とする。
【課題を解決するための手段】
【０００５】  本考案の温水洗浄便座用カートリッジ交換式浄水器は、既設の温水洗浄便座から給水ホースを経て水道分岐金具へと接続されている経路の中間に装着し、本体筒内に装着された交換可能な浄水化カートリッジにて浄水し、上記連結部は、既設の温水洗浄便座の改造及び既設の水道分岐金具の改造を必要とせず複数個多重装着できる差込プラグ及び受けカプラーを有することを特徴とする
【考案の効果】
【０００６】  請求項１に記載のごとく、既設の水道設備、温水洗浄便座の改造を必要としないので、手軽に設置することができ、また手軽にもとの状態に戻すことができる。また、中空糸膜フィルターカートリッジは交換式なので、ランニングコストを低減することができる。【０００７】  請求項２に記載のごとく、トイレ室内の形状いかんに関わらずに設置できることができる。【０００８】  請求項３に記載のごとく、活性炭を使用したフィルターを用いて浄水することができる。【０００９】  請求項４に記載のごとく、洗浄水に薬剤の補充及びビタミン剤の補充ができる。
【図面の簡単な説明】
【００１０】
【図１】全体外観図
【図２】部品構成図
【考案を実施するための形態】
【００１１】  以下、本考案の温水洗浄便座用カートリッジ交換式浄水器の実施の形態を図面を参照して説明する。
【００１２】  図１及び図２において符号１は水道分岐金具への差込プラグを示し、符号２は水道分岐金具と本体の間を接続する入水ホースを示し、符号３のアタッチメントにて本体と接続される。
【００１３】  符号９は温水洗浄便座に接続されている給水ホースのプラグを差し込まれるための受けカプラーを示し、符号８の出水ホース及び符号７のアタッチメントにて本体と接続される。
【００１４】  図２において符号１０は交換可能なフィルターカートリッジを示し、符号４の上部フィルターカートリッジ交換蓋若しくは符号６の下部蓋を開口し本体筒５の内部に挿入する。
【００１５】  符号２及び符号８のホースの長さは異なる複数の長さのものが用意されており、これを交換若しくは組み合わせることにより任意の場所に設置が可能である。
【００１６】  符号１０のフィルターカートリッジは、水質改善のため中空糸膜で構成されている。
【００１７】  また符号１０のフィルターカートリッジは、活性炭若しくは活性炭繊維で構成された水質改善カートリッジと交換することができる。
【００１８】  また符号１０のフィルターカートリッジは、その内部に水質改善のビタミン剤を充填したビタミンカートリッジと交換することができる。
【００１９】  また符号１０のフィルターカートリッジは、その内部にビタミン剤以外の水質改善の薬剤を充填した薬剤カートリッジと交換することができる。
【００２０】  符号５本体筒は、内部に挿入された符号１０のフィルターカートリッジの汚れ具合と水質改善のビタミン剤及び薬剤の消耗具合をを外部から目視できるように一部若しくは全部が透明であることが望ましい。
【００２１】  また符号５の本体筒、符号４の上部フィルターカートリッジ交換蓋及び符号６の符号６の下部蓋は抗菌特性を備えたプラスチック材による成形品であり、利用者が工具を使用せずに内部に挿入された符号１０のフィルターカートリッジの交換ができる構造である。
【００２２】  またこの温水洗浄便座用カートリッジ交換式浄水器は、期待する効用により多段接続することができる。
【符号の説明】
【００２３】１  差込プラグ
２  入水ホース
３  ホース取り付けアタッチメント
４  上部フィルターカートリッジ交換蓋
５  本体筒
６  下部蓋
７  ホース取り付けアタッチメント
８  出水ホース
９  受けカプラー
１０  フィルターカートリッジ
【図１】
0003185912.tif 000003
【図２】
0003185912.tif 000004
(57)【要約】      （修正有）【課題】プレイヤーから発信された音源電波を受信し音楽等を聴くことができる無線スピーカ及び発信機付き音源プレーヤーを提供する。【解決手段】無線のスピーカー１に受信機２を組み込み、音楽電波を発信することができるプレーヤーから発信された音源電波を無線のスピーカーが拾い聴くことができることを特徴とする。【選択図】図１
0003185359.tif 000002
【実用新案登録請求の範囲】
【請求項１】
発信機付きプレイヤーから発信される音源電波を受信可能な受信機をスピーカーに設けたことを特徴とする無線スピーカー
【請求項２】
受信機付きスピーカーに受信可能な音源電波を発信することができる発信機付き音源プレイヤー
【考案の詳細な説明】
【技術分野】
【０００１】  本考案は、プレイヤーから発信される音源電波を無線のスピーカーで受信し聴けるようにしたスピーカーとプレイヤーに関するものである。
【背景技術】
【０００２】  従来音源電波を捉え、聴く道具として有線のスピーカーが使われてきた。
【考案の概要】
【考案が解決しようとする課題】
【０００３】  音楽を聴く方法として、広く普及しているものの一つに携帯プレイヤーがある。それは、個人で聴くことしかできず、仲間で共有して１つの音楽を簡単に聴くことができないという欠点を解決しようとするためのものである。
【課題を解決するための手段】
【０００４】  無線スピーカーの中にプレイヤーの発信機を組み込みそこから発信された音源電波を捉える受信機をスピーカーに取り付けておく
【考案の効果】
【０００５】  仲間の集りで、自分のおすすめの音楽を、線をつなぐことなく簡単に、無線スピーカーに受信させ一緒に聴くことができる。また無線スピーカーに防水加工を施せば、風呂など、水のかかる場所でも音楽を楽しむことができる。
【図面の簡単な説明】
【０００６】
【図１】受信機付き無線スピーカー
【図２】発信機付きプレイヤー
【考案を実施するための形態】
【０００７】  無線スピーカーの中に、プレイヤーからの音源電波を捉える受信機を取りつける、プレイヤーには、発信機を取り付ける。
【実施例】
【０００８】  以下添付図に従って一実施例を説明する。
１は、従来からあるスピーカー本体から音源電波を伝える線を除いたもの  ２は、内部に組み込まれた音源電波を捉える受信機  ３はプレイヤーに組み込まれた発信機、
【符号の説明】
【０００９】１、無線スピーカー本体
２、内部に組み込まれた受信機
３、プレイヤーに組み込まれた発信機
【図１】
0003185359.tif 000003
【図２】
0003185359.tif 000004